(57)【要約】【課題】ＩＰネットワークに接続された発呼端末から、携帯電話網に接続された着呼端末を呼び出し、携帯電話網を介したＩＰ通信を実現する発呼方法等を提供する。【解決手段】着呼端末は、衛星通信用端末番号を有すると共に、携帯電話網を用いてＩＰパケットを送受信可能である。発呼端末が、ＩＰネットワークを介して、宛先となる第２の端末の衛星通信用端末番号を含み、発呼端末の第１のＩＰアドレスを送信元アドレスとする発呼トリガメッセージを、衛星通信網を介して着呼端末へ送信する。次に、着呼端末が、携帯電話網へ発呼し、該携帯電話網に接続されたアドレス割り当てサーバから、第２のＩＰアドレスを取得する。そして、着呼端末が、第２のＩＰアドレスを送信元アドレスとし且つ第１のＩＰアドレスを宛先アドレスとするＩＰパケットを、携帯電話網及びＩＰネットワークを介して、第１の端末へ送信する。【選択図】図２
2011040916.tif 000002
【特許請求の範囲】
【請求項１】
ＩＰ(Internet Protocol)ネットワークに接続された第１の端末と、該ＩＰネットワークに接続された衛星通信網と、前記ＩＰネットワークに接続された広域無線通信網と、前記衛星通信網及び前記広域無線通信網に接続される第２の端末とを有するシステムにおける発呼方法であって、
第２の端末は、前記衛星通信網における衛星通信用端末番号を有すると共に、前記広域無線通信網を用いてＩＰパケットを送受信可能であり、
第１の端末が、前記ＩＰネットワークを介して、宛先となる第２の端末の衛星通信用端末番号を含み、第１の端末の第１のＩＰアドレスを送信元アドレスとする発呼トリガメッセージを、前記衛星通信網へ送信する第１のステップと、
前記衛星通信網が、前記衛星を介して、前記衛星通信用端末番号の第２の端末へ、第１のＩＰアドレスを含む発呼トリガメッセージを送信する第２のステップと、
第２の端末が、前記広域無線通信網へ発呼し、該広域無線通信網に接続されたアドレス割り当てサーバから、第２のＩＰアドレスを取得する第３のステップと、
第２の端末が、第２のＩＰアドレスを送信元アドレスとし且つ第１のＩＰアドレスを宛先アドレスとするＩＰパケットを、前記広域無線通信網及び前記ＩＰネットワークを介して、第１の端末へ送信する第４のステップと
を有することを特徴とする発呼方法。
【請求項２】
前記衛星通信網は、前記ＩＰネットワークに接続された衛星回線側ゲートウェイと、該衛星回線側ゲートウェイに接続された衛星地球局と、前記衛星地球局及び第２の端末との間を中継する衛星とを有し、
前記広域通信網は、前記ＩＰネットワークに接続された地上通信回線側ゲートウェイと、第２の端末と無線で通信する無線基地局とを有し、
第１のステップについて、第１の端末は、前記発呼トリガメッセージを、前記衛星回線側ゲートウェイへ送信し、該衛星回線ゲートウェイは、前記発呼トリガメッセージを、前記衛星地球局へ転送し、
第４のステップについて、第２の端末は、第２のＩＰアドレスを送信元アドレスとし且つ第１のＩＰアドレスを宛先アドレスとするＩＰパケットをデータ領域に含むパケットを、前記広域無線通信網を介して前記地上通信回線側ゲートウェイへ送信し、該地上通信回線側ゲートウェイは、前記ＩＰパケットを、前記ＩＰネットワークを介して第１の端末へ送信する
ことを特徴とする請求項１に記載の発呼方法。
【請求項３】
前記衛星通信網は、イリジウム衛星又はインマルサット衛星を用いたネットワークシステムであり、
前記広域通信網は、携帯電話網、ＰＨＳ(Personal Handyphone System)又はＷｉＭＡＸ(Worldwide Interoperability for Microwave Access)を用いたネットワークシステムであることを特徴とする請求項１又は２に記載の発呼方法。
【請求項４】
ＩＰネットワークに接続された第１の端末と、該ＩＰネットワークに接続された衛星通信網と、前記ＩＰネットワークに接続された広域無線通信網と、前記衛星通信網及び前記広域無線通信網に接続される第２の端末とを有するシステムであって、
第１の端末は、
前記ＩＰネットワークに接続し、第１のＩＰアドレスを有するＩＰネットワークインタフェース手段と、
宛先となる第２の端末の衛星通信用端末番号を含み、第１の端末の第１のＩＰアドレスを送信元アドレスとする発呼トリガメッセージを、前記衛星通信網へ送信する発呼トリガメッセージ送信手段と
を有し、
前記衛星通信網は、前記衛星を介して、前記衛星通信用端末番号の第２の端末へ、第１のＩＰアドレスを含む前記発呼トリガメッセージを送信し、
第２の端末は、
前記衛星通信網に接続し、衛星通信用端末番号を有する衛星回線インタフェース手段と、
前記広域無線通信網に接続し、ＩＰパケットを送受信可能な地上通信回線インタフェース手段と、
前記地上通信回線インタフェース手段を用いて、前記広域無線通信網に接続されたアドレス割り当てサーバから、第２のＩＰアドレスを取得するＩＰアドレス取得手段と、
第２のＩＰアドレスを送信元アドレスとし且つ第１のＩＰアドレスを宛先アドレスとするＩＰパケットを、前記広域無線通信網及び前記ＩＰネットワークを介して、第１の端末へ送信する着呼応答パケット送信手段と
を有することを特徴とするシステム。
【請求項５】
前記衛星通信網は、前記ＩＰネットワークに接続された衛星回線側ゲートウェイと、該衛星回線側ゲートウェイに接続された衛星地球局と、前記衛星地球局及び第２の端末との間を中継する衛星とを有し、
前記広域通信網は、前記ＩＰネットワークに接続された地上通信回線側ゲートウェイと、第２の端末と無線で通信する無線基地局とを有し、
前記衛星回線ゲートウェイは、第１の端末から受信した前記発呼トリガメッセージを、前記衛星地球局へ転送し、
第２の端末は、第２のＩＰアドレスを送信元アドレスとし且つ第１のＩＰアドレスを宛先アドレスとするＩＰパケットをデータ領域に含むパケットを、前記広域無線通信網を介して前記地上通信回線側ゲートウェイへ送信し、
前記地上通信回線側ゲートウェイは、第２の端末から受信した前記ＩＰパケットを、前記ＩＰネットワークを介して第１の端末へ転送する
ことを特徴とする請求項４に記載のシステム。
【請求項６】
前記衛星通信網は、イリジウム衛星又はインマルサット衛星を用いたネットワークシステムであり、
前記広域通信網は、携帯電話網、ＰＨＳ又はＷｉＭＡＸを用いたネットワークシステムであることを特徴とする請求項４又は５に記載のシステム。
【発明の詳細な説明】
【技術分野】
【０００１】
本発明は、広域無線通信網の端末に対する発呼方法及びシステムに関する。
【背景技術】
【０００２】
代表的な広域無線通信網として携帯電話網があり、その携帯電話網に接続する携帯電話機毎に、電話番号が対応付けられている。発呼側携帯電話機は、着呼側携帯電話機の電話番号を指定することによって、携帯電話網へ発呼する。携帯電話網は、その電話番号に対応する携帯電話機の位置を検索し、特定された無線基地局から着呼側携帯電話機へ着呼する。携帯電話網では、音声通信機能及びデータ通信機能が実装されており、それぞれ自網、及び他の網と相互接続して通信することができる。
【０００３】
また、データ通信で利用される代表的な相互接続網として、ＩＰ(Internet Protocol)ネットワーク（インターネット）がある。ＩＰネットワークと携帯電話網とは、ゲートウェイを介して相互に接続される。これによって、ＩＰネットワークに接続された端末と、携帯電話網に接続された携帯電話機との間で、ＩＰ通信を実現することができる。
【０００４】
現在のところ、携帯電話網に接続される携帯電話機は、常時接続可能な固定ＩＰアドレスを保持していない。通常、携帯電話機のＩＰアドレスは、携帯電話網に配置されたアドレス割当サーバから動的に割り当てられる。例えばＩＰＣＰ(Internet Protocol Control Protocol)のような機能が用いられる。従って、ＩＰネットワークに接続された発呼端末は、広域無線通信網に接続された着呼端末へ、直接的に呼び出すことができない。そのために、携帯端末に固定ＩＰアドレスを自動的に付与する技術がある（例えば特許文献１参照）。この技術によれば、ＮＩＣ(Network Interface Card)インタフェースに記録されたＩＰアドレスを、その携帯端末のＩＰアドレスとして設定する。
【０００５】
更に、携帯電話網よりも更に広域の無線通信を実現するシステムとして、衛星通信網がある。衛星通信網に接続される衛星通信端末には、衛星通信用の端末番号が対応付けられている。発呼側衛星通信端末は、着呼側衛星通信端末の端末番号を指定することによって、衛星通信網へ発呼する。衛星通信網は、その端末番号を含む発呼信号を、衛星から地球局の衛星通信端末へ向けて送信する。
【０００６】
携帯電話機について、携帯電話網に接続すると共に、衛星通信網にも接続することができるデュアルモード型移動端末の技術もある（例えば特許文献２参照）。この技術によれば、ＩＰネットワークに接続された発呼端末から、衛星通信網に接続された着呼端末へ発呼することができる。
【先行技術文献】
【特許文献】
【０００７】
【特許文献１】特開２００７−０２８１７４号公報
【特許文献２】ＷＯ９８／３９８５９
【発明の概要】
【発明が解決しようとする課題】
【０００８】
しかしながら、特許文献１に記載された技術によれば、携帯端末に、固定ＩＰアドレスを付与することになる。この場合、携帯電話網が、その携帯端末に付与された固定ＩＰアドレスを常に管理する必要がある。
【０００９】
また、特許文献２に記載された技術によれば、衛星通信網における発呼シーケンスと、広域通信網における発呼シーケンスは別個独立に動作する。従って、衛星通信網を介して発呼した場合、衛星通信網を介した通信しか確立できない。即ち、広域無線通信網を介してＩＰ通信を実現することはできない。
【００１０】
そこで、本発明は、ＩＰネットワークに接続された発呼端末から、広域無線通信網に接続された着呼端末を呼び出した後、広域無線通信網を介したＩＰ通信を実現する発呼方法及びシステムを提供することを目的とする。
【課題を解決するための手段】
【００１１】
本発明によれば、ＩＰネットワークに接続された第１の端末と、該ＩＰネットワークに接続された衛星通信網と、ＩＰネットワークに接続された広域無線通信網と、衛星通信網及び広域無線通信網に接続される第２の端末とを有するシステムにおける発呼方法であって、
第２の端末は、衛星通信網における衛星通信用端末番号を有すると共に、広域無線通信網を用いてＩＰパケットを送受信可能であり、
第１の端末が、ＩＰネットワークを介して、宛先となる第２の端末の衛星通信用端末番号を含み、第１の端末の第１のＩＰアドレスを送信元アドレスとする発呼トリガメッセージを、衛星通信網へ送信する第１のステップと、
衛星通信網が、衛星を介して、衛星通信用端末番号の第２の端末へ、第１のＩＰアドレスを含む発呼トリガメッセージを送信する第２のステップと、
第２の端末が、広域無線通信網へ発呼し、該広域無線通信網に接続されたアドレス割り当てサーバから、第２のＩＰアドレスを取得する第３のステップと、
第２の端末が、第２のＩＰアドレスを送信元アドレスとし且つ第１のＩＰアドレスを宛先アドレスとするＩＰパケットを、広域無線通信網及びＩＰネットワークを介して、第１の端末へ送信する第４のステップと
を有することを特徴とする。
【００１２】
本発明の発呼方法における他の実施形態によれば、
衛星通信網は、ＩＰネットワークに接続された衛星回線側ゲートウェイと、該衛星回線側ゲートウェイに接続された衛星地球局と、衛星地球局及び第２の端末との間を中継する衛星とを有し、
広域通信網は、ＩＰネットワークに接続された地上通信回線側ゲートウェイと、第２の端末と無線で通信する無線基地局とを有し、
第１のステップについて、第１の端末は、発呼トリガメッセージを、衛星回線側ゲートウェイへ送信し、該衛星回線ゲートウェイは、発呼トリガメッセージを、衛星地球局へ転送し、
第４のステップについて、第２の端末は、第２のＩＰアドレスを送信元アドレスとし且つ第１のＩＰアドレスを宛先アドレスとするＩＰパケットをデータ領域に含むパケットを、広域無線通信網を介して地上通信回線側ゲートウェイへ送信し、該地上通信回線側ゲートウェイは、ＩＰパケットを、ＩＰネットワークを介して第１の端末へ送信する
ことも好ましい。
【００１３】
本発明の発呼方法における他の実施形態によれば、
衛星通信網は、イリジウム衛星又はインマルサット衛星を用いたネットワークシステムであり、
広域通信網は、携帯電話網、ＰＨＳ(Personal Handyphone System)又はＷｉＭＡＸ(Worldwide Interoperability for Microwave Access)を用いたネットワークシステムであることも好ましい。
【００１４】
本発明によれば、ＩＰネットワークに接続された第１の端末と、該ＩＰネットワークに接続された衛星通信網と、ＩＰネットワークに接続された広域無線通信網と、衛星通信網及び広域無線通信網に接続される第２の端末とを有するシステムであって、
第１の端末は、
ＩＰネットワークに接続し、第１のＩＰアドレスを有するＩＰネットワークインタフェース手段と、
宛先となる第２の端末の衛星通信用端末番号を含み、第１の端末の第１のＩＰアドレスを送信元アドレスとする発呼トリガメッセージを、衛星通信網へ送信する発呼トリガメッセージ送信手段と
を有し、
衛星通信網は、衛星を介して、衛星通信用端末番号の第２の端末へ、第１のＩＰアドレスを含む発呼トリガメッセージを送信し、
第２の端末は、
衛星通信網に接続し、衛星通信用端末番号を有する衛星回線インタフェース手段と、
広域無線通信網に接続し、ＩＰパケットを送受信可能な地上通信回線インタフェース手段と、
地上通信回線インタフェース手段を用いて、広域無線通信網に接続されたアドレス割り当てサーバから、第２のＩＰアドレスを取得するＩＰアドレス取得手段と、
第２のＩＰアドレスを送信元アドレスとし且つ第１のＩＰアドレスを宛先アドレスとするＩＰパケットを、広域無線通信網及びＩＰネットワークを介して、第１の端末へ送信する着呼応答パケット送信手段と
を有することを特徴とする。
【００１５】
本発明のシステムにおける他の実施形態によれば、
衛星通信網は、ＩＰネットワークに接続された衛星回線側ゲートウェイと、該衛星回線側ゲートウェイに接続された衛星地球局と、衛星地球局及び第２の端末との間を中継する衛星とを有し、
広域通信網は、ＩＰネットワークに接続された地上通信回線側ゲートウェイと、第２の端末と無線で通信する無線基地局とを有し、
衛星回線ゲートウェイは、第１の端末から受信した発呼トリガメッセージを、衛星地球局へ転送し、
第２の端末は、第２のＩＰアドレスを送信元アドレスとし且つ第１のＩＰアドレスを宛先アドレスとするＩＰパケットをデータ領域に含むパケットを、広域無線通信網を介して地上通信回線側ゲートウェイへ送信し、
地上通信回線側ゲートウェイは、第２の端末から受信したＩＰパケットを、ＩＰネットワークを介して第１の端末へ転送することも好ましい。
【００１６】
本発明のシステムにおける他の実施形態によれば、
衛星通信網は、イリジウム衛星又はインマルサット衛星を用いたネットワークシステムであり、
広域通信網は、携帯電話網、ＰＨＳ又はＷｉＭＡＸを用いたネットワークシステムであることも好ましい。
【発明の効果】
【００１７】
本発明の発呼方法及びシステムによれば、ＩＰネットワークに接続された発呼端末から、広域無線通信網に接続された着呼端末を呼び出した後、広域無線通信網を介したＩＰ通信を実現することができる。即ち、本発明によれば、ＩＰネットワークに接続された端末から、固定ＩＰアドレスを保持せず且つ通信状態に無い携帯電話機を呼び出すことができる。
【００１８】
また、着呼端末が、地上通信回線の通信圏外に存在する場合であっても、より広域で利用可能な衛星回線を介して、発呼トリガメッセージを送信することが可能となる。発呼トリガメッセージを受信した着呼端末は、地上通信回線の通信圏内では地上通信回線を介して、又は、地上通信回線の通信圏外では通信圏内へ移動後に、速やかにアドレス割り当て要求を送信することができる。
【図面の簡単な説明】
【００１９】
【図１】本発明におけるシステム構成図である。
【図２】本発明におけるシーケンス図である。
【図３】衛星回線を介するメッセージのフレーム構成図である。
【図４】地上通信回線を介するメッセージのフレーム構成図である。
【図５】本発明における発呼端末及び着呼端末の機能構成図である。
【発明を実施するための形態】
【００２０】
以下、本発明の実施の形態について、図面を用いて詳細に説明する。
【００２１】
図１は、本発明におけるシステム構成図である。
【００２２】
図１によれば、発呼端末１は、ＩＰネットワーク３に接続されており、ＩＰパケットを送受信する。ＩＰネットワーク３は、例えばインターネットである。一方で、着呼端末２は、広域無線通信網５０に接続可能であるが、常時、通信状態に有るわけではない。広域無線通信網は、例えば携帯電話網、ＰＨＳ又はＷｉＭＡＸであってもよい。
【００２３】
着呼端末２は、衛星回線用インタフェースによって衛星４０からの電波を受信すると共に、地上通信回線用インタフェースによって無線基地局５２と通信することができる。本発明によれば、ＩＰネットワーク３に接続された発呼端末１が、衛星回線を介して、広域無線通信網５０に接続可能な着呼端末２を呼び出すことができる。その後、着呼端末２は、広域無線通信網５０及びＩＰネットワーク３を介して、発呼端末１とＩＰ通信を実現することができる。
【００２４】
図１によれば、ＩＰネットワーク３に接続される衛星通信側システムとして、衛星４０と、衛星回線側ゲートウェイ４１と、衛星地球局４２とを有する。衛星回線側ゲートウェイ４１は、ＩＰネットワーク３と衛星地球局４２との間を相互接続する。衛星地球局４２は、衛星４０を介して、相手方衛星通信端末との間で、電波を放送し又は通信する。
【００２５】
衛星４０には、イリジウム衛星及びインマルサット衛星がある。イリジウム衛星は，地上７８０ｋｍの低い軌道を周回する６６機の現用衛星によって実現される。インマルサット衛星は，地上３６，０００ｋｍの静止衛星によって実現される。インマルサット衛星のサービス種類として、陸上向けのＢＧＡＮ（Broadband Global Area Network）と、海上向けのＦＢ(Fleet Broadband)とがある。ＢＧＡＮの場合、最大伝送速度４９２ｋｂｐｓのデータ通信と、音声通話とが可能となる。
【００２６】
イリジウム衛星を用いた衛星通信システムでは、個別のイリジウム端末毎に端末番号が割り当てられており、衛星地球局から特定のイリジウム端末と通信することができる。衛星回線側ゲートウェイが宛先情報の相互変換を実行することによって、ＩＰネットワークから個別のイリジウム端末を呼び出すこともできる。
【００２７】
また、ＩＰネットワーク３に接続される広域無線通信側システムとして、携帯電話網５０と、地上通信回線側ゲートウェイ５１と、無線基地局５２と、アドレス割当サーバ５３とを有する。地上通信回線側ゲートウェイ５１は、ＩＰネットワーク３と携帯電話網５０との間を相互接続する。無線基地局５２は、着呼端末２と無線リンクを接続する。アドレス割当サーバ５３は、携帯電話網５０に接続可能な携帯電話機に対して、ＩＰアドレスを割り当てる。アドレス割当サーバ５３は、携帯電話機に対するＩＰＣＰの機能を有する。
【００２８】
図２は、本発明におけるシーケンス図である。
図３は、衛星回線を介するメッセージのフレーム構成図である。
図４は、地上通信回線を介するメッセージのフレーム構成図である。
【００２９】
本発明によれば、ＩＰネットワーク３に接続された発呼端末１が、携帯電話網５０（広域無線通信網）に接続可能な着呼端末２を呼び出す。発呼端末１が、衛星回線を介して発呼トリガメッセージを着呼端末２へ送信し、これに対し、着呼端末２が、地上通信回線を介して着呼応答パケットを、発呼端末１へ返信する。
【００３０】
（Ｓ２０１）発呼端末１は、着呼端末２に対する発呼トリガメッセージを、衛星回線側ゲートウェイ４１へ送信する。この発呼トリガメッセージのフレーム構成は、図３（ａ）に表されている。発呼トリガメッセージは、レイヤ２ヘッダと、ＩＰヘッダ（送信元ＩＰアドレス、宛先ＩＰアドレス）と、データ領域とを有する。送信元ＩＰアドレスは、発呼端末１のＩＰアドレスであり、宛先ＩＰアドレスは、衛星地球局４２（又は衛星通信設備）のＩＰアドレスである。また、データ領域には、発呼トリガ識別子と、衛星用宛先端末番号とを含む。発呼トリガ識別子は、本発明における衛星回線を介した発呼のトリガを意味する。衛星用宛先端末番号は、宛先端末の衛星回線用インタフェースに予め付与された端末番号である。ここでは、衛星用宛先端末番号は、着呼端末２の端末番号となる。
【００３１】
（Ｓ２０２）衛星回線側ゲートウェイ４１は、受信した発呼トリガメッセージを、衛星地球局４２へ転送する。この発呼トリガメッセージのフレーム構成は、図３（ｂ）に表されている。
【００３２】
（Ｓ２０３）衛星地球局４２は、受信した発呼トリガメッセージを、衛星４０を介して、着呼端末２へ放送する。この発呼トリガメッセージのフレーム構成は、図３（ｃ）に表されている。図３（ｃ）によれば、ＩＰヘッダとしての送信元ＩＰアドレス及び宛先ＩＰアドレスは削除され、衛星用レイヤ２ヘッダが付加される。衛星用レイヤ２ヘッダには、衛星用宛先端末番号が含まれる。また、データ領域には、発呼トリガ識別子と、送信元ＩＰアドレスとが含まれる。衛星地球局４２は、受信した発呼トリガメッセージのＩＰヘッダに含まれる送信元ＩＰアドレス（発呼端末１のＩＰアドレス）を、データ領域に記述する。
【００３３】
ここで、発呼トリガメッセージは、着呼端末２に対して、ユニキャストで送信されてもよいし、ブロードキャストで送信されてもよい。従って、衛星４０は、通信衛星であってもよいし、放送衛星であってもよい。放送衛星である場合、放送データ内に、着呼端末２に対する発呼トリガメッセージが含まれる。
【００３４】
着呼端末２は、衛星４０からの電波から、発呼トリガメッセージを受信する。これによって、着呼端末２は、他の端末から発呼を受けていることを認識する。
【００３５】
（Ｓ２１１）着呼端末２は、ＩＰアドレス割当要求を、無線基地局５２を介して携帯電話機網５０へ送信する。このＩＰアドレス割当要求のフレーム構成は、図４（ａ）に表されている。ＩＰアドレス割当要求は、携帯電話網５０に配置されたアドレス割当サーバ５３によって受信される。図４（ａ）によれば、例えば携帯電話網用のレイヤ２ヘッダと、携帯電話網における送信元端末番号及び宛先端末番号とを含む。また、データ領域には、例えばＩＰＣＰに基づく要求コマンドが含まれる。
【００３６】
（Ｓ２１２）アドレス割当サーバ５３は、着呼端末２に対して割り当てるＩＰアドレスを導出する。そして、そのＩＰアドレスを含むＩＰアドレス割当応答を、無線基地局５２を介して着呼端末２へ送信する。このＩＰアドレス割当応答のフレーム構成は、図４（ｂ）に表されている。図４（ｂ）によれば、データ領域に、ＩＰＣＰレスポンスである旨の識別子と、割り当てられたＩＰアドレスとが含まれる。
【００３７】
（Ｓ２１３）着呼端末２は、着呼応答パケットを、無線基地局５２を介して、地上通信回線側ゲートウェイ５１へ送信する。着呼応答パケットは、例えば携帯電話網用のレイヤ２ヘッダを含む。また、ＩＰヘッダとして送信元ＩＰアドレス及び宛先ＩＰアドレスを含む。ここで、送信元ＩＰアドレスは、Ｓ２０３の発呼トリガメッセージのデータ領域によって受信した送信元ＩＰアドレス（発呼端末１のＩＰアドレス）であり、ＩＰネットワークに接続する場合は、端末番号を上記送信元アドレスに変更して通信する。また、着呼応答パケットのデータ領域には、発呼トリガ識別子に基づく着呼応答パケットである旨の識別子も記述される。
【００３８】
（Ｓ２１４）地上通信回線側ゲートウェイ５１は、受信した着呼応答パケットを、発呼端末１へ送信する。地上通信回線側ゲートウェイ５１は、着呼端末２から受信した着呼応答パケットから、携帯電話網用のレイヤ２ヘッダと送信元端末番号及び宛先端末番号とを取り除く。そして、その着呼応答パケットには、ＩＰネットワーク３におけるレイヤ２ヘッダが付加される。この着呼応答パケットのフレーム構成は、図４（ｄ）に表されている。地上通信回線側ゲートウェイ５１は、その着呼応答パケットを、ＩＰネットワーク３を介して、発呼端末１へ送信する。
【００３９】
これによって、発呼端末１は、受信した着呼応答パケットの送信元ＩＰアドレスが、着呼端末２のＩＰアドレスであることを認識する。その後、発呼端末１と着呼端末２との間で、ＩＰ通信のセッションが確立され、ＩＰパケットを送受信することができる。
【００４０】
図５は、本発明における発呼端末及び着呼端末の機能構成図である。
【００４１】
図５によれば、発呼端末１は、ＩＰネットワークインタフェース部１１と、発呼トリガメッセージ送信部１３と、ＩＰ通信部１６とを有する。発呼トリガメッセージ送信部１３及びＩＰ通信部１６は、端末に搭載されたコンピュータを機能させるプログラムを実行することによって実現される。
【００４２】
ＩＰネットワークインタフェース部１１は、当該発呼端末のＩＰアドレスを有し、ＩＰネットワークに接続する。発呼トリガメッセージ送信部１３は、発呼トリガメッセージを衛星通信システムへ送信する。発呼トリガメッセージの送信元アドレスは、当該発呼端末１のＩＰアドレスである。また、発呼トリガメッセージのデータ領域には、宛先となる第２の端末の衛星通信用端末番号を含む。ＩＰ通信部１６は、ＩＰネットワークインタフェース部１１を介して、着呼端末２との間で、セッションを確立し、ＩＰパケットを送受信する。
【００４３】
また、図５によれば、着呼端末２は、衛星回線インタフェース部２１と、地上通信回線インタフェース部２２と、発呼トリガメッセージ受信部２３と、ＩＰアドレス取得部２４と、着呼応答パケット送信部２５と、ＩＰ通信部２６とを有する。発呼トリガメッセージ受信部２３と、ＩＰアドレス取得部２４と、着呼応答パケット送信部２５と、ＩＰ通信部２６とは、端末に搭載されたコンピュータを機能させるプログラムを実行することによって実現される。
【００４４】
衛星回線インタフェース部２１は、衛星通信網に接続し、衛星通信用端末番号を有する。地上通信回線インタフェース部２２は、広域無線通信網に接続し、ＩＰパケットを送受信する。
【００４５】
発呼トリガメッセージ受信部２３は、衛星回線インタフェース部２１から発呼トリガメセージを受信する。発呼トリガメッセージに含まれる第１のＩＰアドレス（発呼端末１の送信元ＩＰアドレス）が、ＩＰアドレス取得部２４へ通知される。
【００４６】
ＩＰアドレス取得部２４は、地上通信回線インタフェース部２２を介して、広域無線通信網に接続されたアドレス割当サーバ５３から、当該着呼端末２で使用する第２のＩＰアドレスを取得する。取得された第２のＩＰアドレスは、着呼応答パケット送信部２５へ通知される。
【００４７】
着呼応答パケット送信部２５は、第２のＩＰアドレスを送信元アドレスとし且つ第１のＩＰアドレスを宛先アドレスとするＩＰパケットを、地上通信回線インタフェース部２２を介して、発呼端末１へ送信する。
【００４８】
ＩＰ通信部２６は、地上通信回線インタフェース部２２を介して、発呼端末１との間で、セッションを確立し、ＩＰパケットを送受信する。
【００４９】
以上、詳細に説明したように、本発明の発呼方法及びシステムによれば、ＩＰネットワークに接続された発呼端末から、広域無線通信網に接続された着呼端末を呼び出した後、広域無線通信網を介したＩＰ通信を実現することができる。即ち、本発明によれば、ＩＰネットワークに接続された端末から、固定ＩＰアドレスを保持せず且つ通信状態に無い携帯電話機を呼び出すことができる。
【００５０】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５１】
１  発呼端末
１１  ＩＰネットワークインタフェース部
１３  発呼トリガメッセージ送信部
１６  ＩＰ通信部
２  着呼端末、携帯電話機
２１  衛星回線インタフェース部
２２  地上通信回線インタフェース部
２３  発呼トリガメッセージ受信部
２４  ＩＰアドレス取得部
２５  着呼応答パケット送信部
２６  ＩＰ通信部
３  ＩＰネットワーク、インターネット
４０  衛星
４１  衛星回線側ゲートウェイ
４２  衛星地球局
５０  広域無線通信網、携帯電話網
５１  地上通信回線側ゲートウェイ
５２  無線基地局
５３  アドレス割当サーバ
【図１】
2011040916.tif 000003
【図２】
2011040916.tif 000004
【図３】
2011040916.tif 000005
【図４】
2011040916.tif 000006
【図５】
2011040916.tif 000007